(57)【要約】【課題】容易に製造できる壁面緑化装置を提供する。【解決手段】壁面緑化装置１００は、生きている植物を飾るためのもので、胴縁１と、胴縁１に取り付けられ、植物を活着させる栽植シート２とを備える。胴縁１及び栽植シート２はそれぞれ複数設けられる。胴縁１は横に架設される。栽植シート２は横及び縦に並べられる。胴縁１は壁８に固定される。壁面緑化装置１００はさらに、栽植シート２の上方に取り付けられる灌水ホース３０，３１と、上部に取り付けられ、灌水ホース３０，３１と接続される貯水槽４と、栽植シート２を覆うように取り付けられる保護ネット５と、下部に取り付けられ、前方に突出するように取り付けられる受け皿６とを備える。【選択図】図１
2011078367.tif 000002
【特許請求の範囲】
【請求項１】
生きている植物を飾るための壁面緑化装置であって、
胴縁と、
前記胴縁に取り付けられ、前記植物を活着させる栽植シートとを備える、壁面緑化装置。
【請求項２】
請求項１に記載の壁面緑化装置であって、
前記胴縁及び前記栽植シートはそれぞれ複数設けられ、前記胴縁は、横、縦又は斜めに架設され、前記栽植シートは、横、縦又は斜めに並べられる、壁面緑化装置。
【請求項３】
請求項１又は２に記載の壁面緑化装置であって、
前記胴縁は壁に固定される、壁面緑化装置。
【請求項４】
請求項１〜３のいずれか１項に記載の壁面緑化装置であってさらに、
前記栽植シートの上方に取り付けられる灌水ホースを備える、壁面緑化装置。
【請求項５】
請求項１〜４のいずれか１項に記載の壁面緑化装置であってさらに、
前記壁面緑化装置の上部に取り付けられ、前記灌水ホースと接続される貯水槽を備える、壁面緑化装置。
【請求項６】
請求項１〜５のいずれか１項に記載の壁面緑化装置であってさらに、
前記栽植シートを覆うように取り付けられる保護ネットを備える、壁面緑化装置。
【請求項７】
請求項１〜６のいずれか１項に記載の壁面緑化装置であってさらに、
前記壁面緑化装置の下部に取り付けられ、前方に突出するように取り付けられる受け皿を備える、壁面緑化装置。
【請求項８】
生きている植物を飾るための壁面緑化装置の製造方法であって、
胴縁を構築する工程と、
前記植物を活着させる栽植シートを前記構築された胴縁に取り付ける工程とを備える、壁面緑化装置の製造方法。
【請求項９】
請求項８に記載の壁面緑化装置の製造方法であって、
前記胴縁及び前記栽植シートはそれぞれ複数設けられ、
前記構築する工程は、前記胴縁を横、縦又は斜めに架設する工程を含み、
前記取り付ける工程は、前記栽植シートを横、縦又は斜めに並べる工程を含む、壁面緑化装置の製造方法。
【請求項１０】
請求項８又は９に記載の壁面緑化装置の製造方法であって、
前記構築する工程は、前記胴縁を壁に固定する工程を含む、壁面緑化装置の製造方法。
【発明の詳細な説明】
【技術分野】
【０００１】
本発明は、壁面緑化装置及びその製造方法に関し、さらに詳しくは、生きている植物を飾るための壁面緑化装置及びその製造方法に関する。
【背景技術】
【０００２】
特開２００８−５４６１１には、装置の重量が軽く荷重制限に対応し易く、保肥・保水の期間が長く保たれて水管理等の省略が図れ、植裁物の倒伏や飛散が防止できて安全な施設であり、ビルの壁面のみでなくコンクリート擁壁の緑化にも使用可能な壁面緑化装置が開示されている。この壁面緑化装置に使用する植生マットは、保肥力、保水力の高い植生基盤土を２〜５ｃｍ厚で敷き詰め、その上にポリエステルの不織布、ポリエチレンの平織ネットシートを重ね上部とし、植生基盤土の移動防止のための底部と上部が一体化するように縦横所定間隔で縫製形成している。
【先行技術文献】
【特許文献】
【０００３】
【特許文献１】特開２００８−５４６１１号公報
【特許文献２】特願２００９−２０４３６３号（同一出願人の未公開先願）
【発明の概要】
【発明が解決しようとする課題】
【０００４】
しかしながら、特許文献１に開示された壁面緑化装置では、植生マットに植生基盤土を２〜５ｃｍ厚で敷き詰めているので、壁面緑化装置を容易に製造できない。
【０００５】
本発明の目的は、容易に製造できる壁面緑化装置を提供することである。
【課題を解決するための手段及び発明の効果】
【０００６】
本発明による壁面緑化装置は、生きている植物を飾るための壁面緑化装置であって、胴縁と、栽植シートとを備える。栽植シートは、胴縁に取り付けられ、植物を活着させる。
【０００７】
本発明によれば、栽植シートを胴縁に取り付けるだけで、壁面緑化装置を容易に製造できる。
【０００８】
好ましくは、胴縁及び栽植シートはそれぞれ複数設けられる。胴縁は、横、縦又は斜めに架設される。栽植シートは、横、縦又は斜めに並べられる。
【０００９】
この場合、広範囲の壁面緑化を容易に実現することができる。
【００１０】
好ましくは、胴縁は壁に固定される。
【００１１】
この場合、壁面緑化装置は倒れにくい。
【００１２】
好ましくは、壁面緑化装置はさらに、灌水ホースを備える。灌水ホースは、栽植シートの上方に取り付けられる。
【００１３】
この場合、栽植シートに容易に灌水することができる。
【００１４】
好ましくは、壁面緑化装置はさらに、貯水槽を備える。貯水槽は、壁面緑化装置の上部に取り付けられ、灌水ホースと接続される。
【００１５】
この場合、貯水槽内の水を灌水に利用することができる。
【００１６】
好ましくは、壁面緑化装置はさらに、保護ネットを備える。保護ネットは、栽植シートを覆うように取り付けられる。
【００１７】
この場合、栽植シートに生えている植物を保護することができる。
【００１８】
好ましくは、壁面緑化装置はさらに、受け皿を備える。受け皿は、壁面緑化装置の下部に取り付けられ、前方に突出するように取り付けられる。
【００１９】
この場合、花、葉などが落ちた場合、受け皿で受け止めることができる。
【図面の簡単な説明】
【００２０】
【図１】本発明の実施の形態による壁面緑化装置の構成を示す斜視図である。
【図２】図１に示した壁面緑化装置の平面図である。
【図３】図１に示した壁面緑化装置の正面図である。
【図４】図３に示した壁面緑化装置の拡大正面図である。
【図５】図１中のＶ―Ｖ線に沿った断面図である。
【図６】図１に示した壁面緑化装置の製造方法における胴縁を壁に取り付ける工程を示す斜視図である。
【図７】図６に示した工程に続き、胴縁に栽植シートを取り付ける工程を示す斜視図である。
【発明を実施するための形態】
【００２１】
以下、図面を参照し、本発明の実施の形態を詳しく説明する。図中同一又は相当部分には同一符号を付してその説明は繰り返さない。
【００２２】
[壁面緑化装置の構成]
図１を参照して、壁面緑化装置１００は、生きている植物を飾るためのもので、胴縁１と、栽植シート２と、灌水ホース３０及び３１と、貯水槽４と、受け皿６とを備えている。
【００２３】
胴縁１は、本例では４本あり、アルミで構成されている。胴縁１は、横（ほぼ水平）に架設され、壁８に固定される。本例では、胴縁１は横に架設されているが、縦若しくは斜め、又は横、縦及び斜めの組み合わせで架設されてもよい。
【００２４】
栽植シート２は、吸水性及び保水性を有し、たとえば、不織布、織布、フェルト、スポンジ、ウレタン、海綿など、吸水性及び保水性に富む材料を加工したものを用いることができるが、植物の根が張りやすいものを用いるのが好ましい。栽植シート２の具体例は、後述する。
【００２５】
栽植シート２は、植物を活着させるためのもので、ステンレス製ビス７１で胴縁１に取り付けられている。栽植シート２は、本例では９枚あり、縦及び横（格子状）に並べられている。各栽植シート２は、対応する２本の胴縁１の間に架け渡されている。本例では、栽植シート２は縦及び横に並べられているが、横のみ、縦のみ、斜めのみ又はそれらの組み合わせで並べられてもよい。栽植シート２に植えられる植物は、たとえばハツユキカズラ、アキシラリス、モッコウバラ、ヘデラヘリックス、ヘデラカナリエンシス、テイカカズラ、コクリュウ、又はフイリヤブランである。
【００２６】
灌水ホース３０及び３１は、それぞれホースバンド３３Ａ及び３３Ｂを備えている。ホースバンド３３Ａは、灌水ホース３０の中腹部に巻かれ、灌水ホース３０を下段の栽植シート２の上方に取り付けている。ホースバンド３３Ｂは、灌水ホース３１の中腹部に巻かれ、灌水ホース３１を上段の栽植シート２の上方に取り付けている。灌水ホース３０は、蛇口３５と接続される。
【００２７】
貯水槽４は、たとえばアルミで構成されている。貯水槽４は、壁面緑化装置１００の上部に取り付けられている。
【００２８】
受け皿６は、たとえばアルミで構成されている。受け皿６は、壁面緑化装置１００の下部に取り付けられている。受け皿６は、前方に突出するように取り付けられている。
【００２９】
胴縁１、貯水槽４及び受け皿６は、アルミで構成されているが、特に限定されない。たとえば、木や鉄などで構成されてもよい。ただし、アルミは、木や鉄に比べ軽くて、腐食しにくい。
【００３０】
図２及び図３を参照して、貯水槽４は、その底に穴４４を備えている。灌水ホース３１は、その中腹部に接続部３６を備えている。接続部３６は、穴４４に接続される。
【００３１】
図４を参照して、灌水ホース３０は、複数の穴３４を備えている。灌水ホース３１も灌水ホース３０と同様に、図示されていないが、複数の穴を備えている。
【００３２】
図３及び図４を参照して、蛇口３５を開放すると、水は蛇口３５から灌水ホース３０に流入し、複数の穴３４を通って栽植シート２に供給される。また、図２及び図３を参照して、貯水槽４の水は穴４４及び接続部３６を通って灌水ホース３１に流入し、さらに穴を通って栽植シート２に供給される。このように、壁面緑化装置１００は、灌水ホース３０及び３１を備えているため、栽植シート２に容易に灌水することができる。
【００３３】
図５を参照して、壁面緑化装置１００はさらに、保護ネット５を備えている。保護ネット５は、栽植シート２を覆うように、貯水槽４及び受け皿６に取り付けられている。
【００３４】
栽植シート２としては、吸水性樹脂を不織布に混合したものを用いるのが好ましく、たとえば特開平１１−２０６２４１号公報に開示された育苗シートを用いることができる。より具体的には、三洋化成工業株式会社の「三洋育苗シート」を用いることができる。
【００３５】
吸水性樹脂を含む栽植シート２としては、たとえば特開２００１−３７３４４号公報に開示された樹脂シート、特開２００８−１９９９８４号公報に開示された栽植基盤、特開２００８−５４６１１号公報に開示された植生マット、特開２０００−２８７５３６号公報に開示された植物栽培培地用基体を用いることができる。
【００３６】
吸水性樹脂としては、たとえば特開２００７−３１９０２９号公報に開示された園芸用保水剤を用いることができる。より具体的には、有限会社三鶴園芸の「ＡＧポリマ」、三洋化成工業株式会社の「サンフレッシュ」及び「アクアパール」、三菱化学株式会社のサンダイヤポリマー「アクアパール」（登録商標）、住友精化株式会社の「アクアキープ」、メビオール株式会社の「ＳｋｙＧｅｌ」（登録商標）を用いることができる。
【００３７】
不織布としては、たとえば王子キノクロス株式会社の「ＴＤＳ不織布」及び「パルクロス」を用いることができる。抗菌作用を有する不織布としては、たとえば金井重要工業株式会社の除菌フィルタ「バイテクリーンＡＧフィルタ」を用いることができる。
【００３８】
その他、栽植シート２としては、株式会社千古屋の育苗資材「楽楽紙」、播種シートなどを用いることもできる。
【００３９】
[壁面緑化装置の製造方法]
次に、壁面緑化装置１００の製造方法について説明する。
【００４０】
まず、図６を参照して、胴縁１を構築する。具体的には、複数の胴縁１を横に架設し、ステンレス製ビス７０で壁８に固定する。
【００４１】
次に、図７を参照して、栽植シート２を胴縁１に取り付ける。具体的には、栽植シート２を横３列及び縦３列に並べ、各栽植シート２の４角にビス７１を打ち込むことにより栽植シート２を取り付ける。
【００４２】
次に、再び図３を参照して、灌水ホース３０及び３１を栽植シート２の上方に取り付ける。具体的には、灌水ホース３０及び３１をホースバンド３３Ａ及び３３Ｂで巻き、ホースバンド３３Ａ及び３３Ｂを栽植シート２の上方に取り付ける。そして、灌水ホース３０を蛇口３５と接続する。
【００４３】
次に、貯水槽４を壁面緑化装置１００の上部に取り付ける。そして、図２及び図３に示すように、灌水ホース３１の接続部３６を貯水槽４の穴４４に接続する。
【００４４】
次に、再び図１を参照して、受け皿６を壁面緑化装置１００の下部に、前方に突出するように取り付ける。
【００４５】
なお、灌水ホース３０及び３１、貯水槽４並びに受け皿６を上記の順に取り付ける必要はなく、いずれの順に取り付けてもよい。
【００４６】
次に、図示されていないが、植物を栽植シート２に活着させる。具体的には、栽植シート２の任意の箇所に切り込みを入れ、その切り込みに植物を植え付ける。本例では、栽植シート２を胴縁１に取り付けた後、植物を栽植シート２に活着させているが、逆に、植物を栽植シート２に活着させた後、栽植シート２を胴縁１に取り付けてもよい。
【００４７】
最後に、図５を参照して、栽植シート２を覆うように保護ネット５を取り付ける。具体的には、保護ネット５を貯水槽４及び受け皿６に渡るように張り付ける。
【００４８】
[実施の形態の効果]
本実施の形態によれば、栽植シート２を胴縁１に取り付けるだけで、壁面緑化装置１００を容易に製造できる。
【００４９】
また、胴縁１及び栽植シート２はそれぞれ複数設けられ、胴縁１は、横に架設され、栽植シート２は、横及び縦に並べられているため、この壁面緑化装置１００は、広範囲の壁面緑化を容易に実現することができる。
【００５０】
また、胴縁１が壁８に固定されているため、この壁面緑化装置１００は倒れにくい。
【００５１】
また、灌水ホース３０及び３１が栽植シート２の上方に取り付けられているため、この壁面緑化装置１００は栽植シート２に容易に灌水することができる。
【００５２】
また、貯水槽４が壁面緑化装置１００の上部に取り付けられ、灌水ホース３１と接続されているため、この壁面緑化装置１００は貯水槽４内の水を灌水に利用することができる。
【００５３】
また、保護ネット５が栽植シートを覆うように取り付けられているため、この壁面緑化装置１００は、栽植シート２に生えている植物を保護することができる。
【００５４】
また、受け皿６が壁面緑化装置１００の下部に取り付けられ、前方に突出するように取り付けられているため、この壁面緑化装置１００は、花、葉などが落ちた場合、受け皿６で受け止めることができる。
【００５５】
［他の実施の形態］
上記実施の形態では、胴縁１は壁８に固定されているが、胴縁は植木鉢、大型プランタ、可動式パーテーションなどの土台に構築され、その胴縁に栽植シートが取り付けられてもよい。
【００５６】
また、上記実施の形態では、栽植シート２のみが並べられているが、装飾パネルなどと一緒に並べられてもよい。
【００５７】
また、上記実施の形態では、栽植シート２はビス７１で取り付けられているが、接着材やネジなどで取り付けられてもよい。
【００５８】
本実施の形態では、灌水ホース３０、３１は、それぞれ蛇口３５、貯水槽４に接続されているが、灌水ホースは１つだけ設けられても、３つ以上設けられても、あるいは全く設けられなくてもよい。
【００５９】
また、上記実施の形態では、貯水槽４が取り付けられているが、建物に取り付けられている既存の樋を貯水槽４として用いてもよい。また、貯水槽４又は受け皿６は設けられなくてもよい。
【００６０】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００６１】
１  胴縁
２  栽植シート
４  貯水槽
５  保護ネット
６  受け皿
８  壁
３０，３１  灌水ホース
１００  壁面緑化装置
【図１】
2011078367.tif 000003
【図２】
2011078367.tif 000004
【図３】
2011078367.tif 000005
【図４】
2011078367.tif 000006
【図５】
2011078367.tif 000007
【図６】
2011078367.tif 000008
【図７】
2011078367.tif 000009